(57)【要約】【課題】木製板に線状ランダムの溝構造の掘り込みを用いて、同等の意匠性を維持しながら、製造コストを削減することができる化粧材の装飾板を提供する。【解決手段】木製基材板に、多数のランダムな大きさの線状の溝目要素をもって、全体として線状目模様の流動状を構成するように彫られた木板部を有する化粧板において、この化粧板の表面にランダムの大きさの線状で流動状の溝構造を、板目模様に沿って延びるように彫られている多数の細長い凹部の線状溝を備えることを彫り込み入り木製化粧板である。【選択図】図１
0003142917.tif 000002
【実用新案登録請求の範囲】
【請求項１】
木製基材板に、多数のランダムな線状の溝目要素をもって、全体として線状目模様の流動状を構成するように彫られた木板部を有する化粧板において、この化粧板の表面にランダムで太さの異なる線状で流動状の溝構造を有し、板目模様に沿って延びるように彫られている多数の細長い凹部の線状溝を備えることを特徴とする彫り込み入り木製化粧板。
【請求項２】
前記ランダムの大きさの線状で流動状の溝構造に彫られた線状溝が、幅０．５〜５ｍｍで、深さ０．５〜１ｍｍの範囲で太さをランダムに彫られて、ランダム線状溝で互いに間隔を持って装飾的ランダム配置にされていることを特徴とする請求項１に記載の彫り込み入り木製化粧板。
【請求項３】
前記の線状目模様の流動状を構成するように彫られた木板部の木目要素が、多数の細長い凹部を、前記化粧板の表面の前記柾目部の部分に、線状模様を構成するようにエンボス加工し、このエンボス加工した前記化粧板の表面に、凹凸を浮き立たせるために塗料を塗布し、乾燥されることを特徴とする請求項１に記載の彫り込み入り木製化粧板。
【請求項４】
木製基材板は無垢の木製板、あるいは合板（MDF）であって、化粧板の前記柾目部の線状目模様の流動状を構成するように彫られた木板部を有する化粧板表面に１０〜１００ミクロンの樹脂フイルムを真空成型することを特徴とする請求項３に記載の彫り込み入り木製化粧板。
【請求項５】
前記化粧板に張る樹脂フイルムは、塩化ビニール、ポリエチレン、ナイロン、の一種以上で構成されていることを特徴とする請求項４に記載の彫り込み入り木製化粧板。
【考案の詳細な説明】
【技術分野】
【０００１】
この考案は、装飾を目的として家具および建材などに用いられる彫りこみ模様を備えた化粧材に関する。さらに詳しくは、この発明は、家具として有用な、良好な意匠性で深みのある質感の装飾を主体にしたランダムな太さの線状の彫りこみ溝を持つ彫刻化粧板に関するものである。
【背景技術】
【０００２】
従来、家具用の化粧材は一般によく知られている。この化粧材は、木板、ＭＤＦ製の基材の上面に接着された化粧シートとを備えていることが多い。
従来より、各種の素材からなる化粧板が知られており、家具、建築用材料として広く使用されている。この化粧板の一種に、木材表面をブラッシング加工して春材部、花模様部を削り取り、表面に凹凸を形成した後に塗装仕上げしたものが知られている（特許文献１参照）。またこの化粧板は、木質素材表面の自然の凹凸感を生かしたものとして、優れた質感のある木質材として注目されてもいる（特許文献２参照）。さらに突板を貼り合わせたものに表面を彫って模様を付けて、その中に顔料を注入して化粧板を提供している（特許文献３参照）。また突板を数枚重ねて貼り合わせたものに表面を彫って模様を付けた化粧板を提供している（特許文献４参照）。しかし製作において煩雑であって、高価になる。
【特許文献１】特開平５−７６８２９号
【特許文献２】特開平１１−１６５３９６号
【特許文献３】特開平７−６８７０７号
【特許文献４】特開２００８−０１２８８７号
【考案の開示】
【考案が解決しようとする課題】
【０００３】
家具などの化粧板は天然木材、彫刻板などの供給と、樹脂の表面にプリントした合板、あるいは各種の木質加工材の化粧板の使用が普及してきており、これらの加工材に天然木材のみでは表現出来ない意匠性が重要な課題となってきた。
このような課題に対応するために、加工材としての木質基材の表面に比較的薄い突板を貼付けて、天然木材調の建築材とすることが一般的になってきている。しかしながら、このような木板の彫り込み化粧板の場合には、加工材としての基材に、通常の０，２〜０，５mm 厚程度の表面部を削り取り、表面に凹凸を形成して塗装仕上げしようとすると、削り取り時に木版が部分的に削り取られてその凹部に基材が露出してしまう。このため、彫刻による削りだし加工を施し、凹凸を表現する突板貼り化粧板の製造に適用することは困難で、ほとんどメリットがなかった。
【０００４】
ブラッシングなどの表面加工では表現できない独特の表面の質感を突板貼化粧板に生かすための方法の実現が求められていた。本考案は、上記の事情に鑑みて、従来のブラッシング加工の欠点を解消し、この彫り加工を施すことによって、優れた質感の模様表面を形成することのできる新しい突板貼彫刻化粧板とその製造法を提供することを目的としている。
【課題を解決するための手段】
【０００５】
木製基材板に、多数のランダムな太さの線状の溝目要素をもって、全体として線状目模様の流動状を構成するように彫られた木板部を有する化粧板において、この化粧板の表面にランダムの大きさの線状で流動状の溝構造を、板目模様に沿って延びるように彫られている多数の細長い凹部の線状溝を備えることを彫り込み入り木製化粧板である。
前記ランダムの大きさの線状で流動状の溝構造に彫られた線状溝が、幅０．５〜５ｍｍで、深さ０．５〜１．５ｍｍの範囲でランダムに彫られて、ランダム線状溝で互いに間隔を持ってランダム配置されて、柾目部に沿って構成されている。
線状目模様の流動状を構成するように彫られた木板部の木目要素が、多数の細長い凹部を、前記化粧板の前記表面の前記柾目部の部分に、前記多数の木目要素と共に前記柾目模様を構成するようにエンボス加工し、かつこの板目模様が前記柾目模様に沿って延びるようにエンボス加工し、このエンボス加工した前記化粧板の表面に、塗料を塗布し、乾燥させる木製基材板は無垢の木製板、あるいは合板（MDF）であって、化粧板の前記柾目部の線状目模様の流動状を構成するように彫られた木板部を有する化粧板表面に５０ミクロン〜３００ミクロンの樹脂フイルムを貼る。
前記化粧板に張る樹脂フイルムは、塩化ビニール、ポリエチレン、ナイロンの一種以上で、厚さ５０ミクロン〜３００ミクロンのものを使用して、構成されている彫り込み入り木製化粧板である。
本考案は木材の基材に、表面から表層部を模様状態に順次に彫り、彫った凹部の内部を色彩・模様状態にした装飾の板にする彫刻化粧板である。この基材に、種々の線状の模様が異なるランダムの数本の溝を構成して、線状の特定の模様状態に彫り、模様的な装飾の板にすることにより彫刻化粧板である。
【０００６】
本考案においては、基材が露出することを良好とする場合もあるうえに、削り取り後、上下の材の違いによって現れる明暗の凹凸部に従来の塗装仕上げをすることによって優れた質感と意匠性とを実現する。
この化粧シートの表面の柾目部の部分に、多数の木目要素と共に柾目模様を構成するように配置され、柾目部以外の部分に木目模様のうちの板目模様を構成し、かつこの板目模様が柾目模様に沿って延びるように配置された多数の細長い凹部と、を備えることを特徴とする。
【０００７】
この化粧材によれば、多数の線状の木目要素が、全体として柾目模様を構成するように配置された柾目部を有する化粧シートが基材の表面に張り付けられており、この化粧シートには、多数の凹部が、柾目部の部分で多数の木目要素と共に柾目模様を構成するように配置されている。また、柾目部以外の部分には、多数の凹部が板目模様を構成するように配置されている。これによって、従来と同等の意匠性を維持しながら、歩留りを向上させることができ、製造コストを削減することができる。
【０００８】
この化粧材の製造方法によれば、ＮＣ機によって多数の凹部をエンボス加工する場合、ＮＣ機側歯形に、柾目模様の溝凹部を形成するための多数のランダム歯形構造を設けられている、ＮＣ機側に柾目模様用の多数の凸部が設けられている部分との幅方向の位置を合わせるだけで、化粧シートの柾目部に柾目模様を構成するランダム溝構造部を、柾目部以外の部分に板目模様の凹部をそれぞれ横ずれのないように形成できる。これによって、柾目模様に構成されている化粧材を、板目模様における位置ずれがなく、従来と同等の意匠性を有するように製造できる。
【考案の効果】
【０００９】
以上のように、本考案の化粧材およびその木製板の線状の溝構造装飾板は、家具で従来と同等の意匠性を維持しながら、家具の美観的デザイン性を向上させることができ、製造面でもコストを削減することができる。模様表現による意匠性、質感ともに優れた貼り彫刻装飾板が提供される。
【考案を実施するための最良の形態】
【００１０】
以下、本考案を実施するための最良の形態について説明する。
図１は、本考案の彫り込み入り木製化粧板を使用した家具の図である。図２〜図７は、彫り込み入り木製化粧板の種々の状態を示した詳細図である。各図において同一部材あるいは同一部分には同一参照番号が付されている。図２は、彫り込み入り木製化粧板の基板の上面図、図３は、彫り込み入り木製化粧板の基板の斜視図、図４は、彫り込み入り木製化粧板の塗装と断面図、図５は、彫り込み入り木製化粧板の樹脂フィルムと断面図、図６は、線状模様を曲線状に加工した斜視図である。
図７、図８は彫り込み入り木製化粧板を使用したレンジボードとＴＶボードである。
【００１１】
彫り込み入り木製化粧板の基材は、無垢の木製板や集成材、あるいは合板（MDF）でありサイズは、高さ５０〜２１００ｍｍ幅５０〜９００ｍｍ厚み１２ｍｍ〜３０ｍｍである。
【実施例１】
【００１２】
図１で示す彫り込み入り木製化粧板家具は、厚み２４ｍｍで巾が２１０ｍｍと９０ｍｍ高さが１８７４ｍｍの無垢の集成材を使用し、ＫＩＴＡＫＯ社のＮＣ機を使いリプルーズカッター刃で、幅０．５〜５ｍｍで、深さ０．５〜１．５ｍｍの範囲で表面をランダムに削った彫り込み入り木製化粧板を使用したダイニングボードである。彫り込み入り木製化粧板の表面には塗料を塗布した、その効果として表面の線状模様をより家具の表の面を際立たせることが出来た。彫り込み入り木製化粧板を使用しない従来の家具である図９と比較して、図１の本考案の彫り込み入り木製化粧板を使用した家具は古風性を増して、意匠性を高めた。
【実施例２】
【００１３】
図４で示す彫り込み入り木製化粧板は、基材を幅０．５〜５ｍｍで、深さ０．５〜１．５ｍｍの範囲で表面をランダムに削り、表面に塗料を塗布した。その効果として、表面の線状模様をより際立たせる事が出来た。
【実施例３】
【００１４】
図５で示す彫り込み入り木製化粧板は、基材を幅０．５〜５ｍｍで、深さ０．５〜１．５ｍｍの範囲で表面をランダムに削り、表面に１５０ミクロンの塩化ビニール樹脂フィルムを真空プレス機で真空成型をした。その効果として、表面の線状模様をよりさらに際立たせる事と、水分や油分等が付着しても手入れが非常に容易に出来た。
【実施例４】
【００１５】
図６で示す彫り込み入り木製化粧板は、無垢の木製板を幅０．５〜５ｍｍで、深さ０．５〜１．５ｍｍの範囲で表面を曲線に模様を入れる事により、直線の模様とは違う意匠性を持たせた。図４と図５と同様に、表面には塗料を塗布して、１５０ミクロンの塩化ビニール樹脂フィルムを真空成型して、より高い意匠性を持たせた。
【実施例５】
【００１６】
図７で示す彫り込み入り木製化粧板使用のレンジボードは、無垢の木製板を幅０．５〜５ｍｍで、深さ０．５〜１．５ｍｍの範囲で表面をランダムに削り、表面には塗料を塗布した木製化粧板を縦向きと横向きにそれぞれ使ったレンジボードである。その効果として、縦向きに使用すると縦長に見えスッキリと見えるために上側の扉に使用をした。横向きに使用すると横長に見え安定感があるので下側の前面に使用をした。そのことにより、上側と下側の表面の質感の違いにより意匠性を持たせた。
【実施例６】
【００１７】
図８で示す彫り込み入り木製化粧板使用のＴＶボードは、無垢の木製板を幅０．５〜５ｍｍで、深さ０．５〜１．５ｍｍの範囲で表面をランダムに削り、表面には塗料を塗布した木製化粧板を縦向きと横向きにそれぞれ使ったＴＶボードである。その効果として、縦向きと横向きの表面の質感の違いを出し、意匠性を持たせた。
【図面の簡単な説明】
【００１８】
【図１】本考案の彫り込み入り木製化粧板家具の図
【図２】彫り込み入り木製化粧板の基板の上面図
【図３】彫り込み入り木製化粧板の基板の斜視図
【図４】彫り込み入り木製化粧板の塗装と断面図
【図５】彫り込み入り木製化粧板の樹脂フィルムと断面図
【図６】線状模様を曲線状に加工した彫り込み入り木製化粧板の斜視図
【図７】彫り込み入り木製化粧板使用のレンジボードの図
【図８】彫り込み入り木製化粧板使用のＴＶボードの図
【図９】彫り込み入り木製化粧板を使用していない家具の比較図
【符号の説明】
【００１９】
１．彫り込み入り木製化粧板
２．天板
３．ハンドル
４．ガラス
５．彫り込み入り木製化粧板の基板
６．塗料
７．樹脂フィルム
８．ＴＶ収納スペース
９．彫り込み加工をしていない従来の無垢板
【図１】
0003142917.tif 000003
【図２】
0003142917.tif 000004
【図３】
0003142917.tif 000005
【図４】
0003142917.tif 000006
【図５】
0003142917.tif 000007
【図６】
0003142917.tif 000008
【図７】
0003142917.tif 000009
【図８】
0003142917.tif 000010
【図９】
0003142917.tif 000011